(57)【要約】      （修正有）【課題】簡便な構造で、ケーシング本体の上面を覆うカバーの開閉操作を容易に行うことができる洋風便器装置を提供する。【解決手段】便器本体２の後部上面に固定されたケーシング４は、ケーシング本体４１と、ケーシング本体４１の上面部を覆うカバー４２とを有し、ケーシング本体４１の上部後端には、前後方向に切欠かれた凹部が形成されており、さらに、凹部において対向する内側面の一方には、後方斜め上方向に延びるガイド溝が形成されており、カバー４２は、後端付近に、裏面側へ向かって突出する係合部を有し、係合部には、側方に向かって突出する円柱形の突起が形成されており、かつ、係合部は、突起がガイド溝内にスライド自在に挿入された状態で凹部に収納されており、ガイド溝における突起の位置が、カバーが閉鎖状態の際の位置より上方に位置している場合に、突起を支軸とした係合部の回転によってカバー４２が回動自在とされている。【選択図】図１
2015165082.tif 000002
【特許請求の範囲】
【請求項１】
便器本体の後部上面に固定されたケーシングを備えた洋風便器装置であって、
前記ケーシングは、ケーシング本体と、このケーシング本体の上面部を覆うカバーとを有し、
前記ケーシング本体の上部後端には、前後方向に切欠かれた凹部が形成されており、さらに、この凹部において対向する内側面の一方には、後方斜め上方向に延びるガイド溝が形成されており、
前記カバーは、後端付近に、裏面側へ向かって突出する係合部を有し、この係合部には、側方に向かって突出する円柱形の突起が形成されており、かつ、前記係合部は、前記突起が前記ガイド溝内にスライド自在に挿入された状態で前記凹部に収納されており、
前記ガイド溝における前記突起の位置が、前記カバーが閉鎖状態の際の位置より上方に位置している場合に、前記突起を支軸とした前記係合部の回転によって前記カバーが回動自在とされていることを特徴とする洋風便器装置。
【請求項２】
前記ガイド溝の上端および下端には、溝深さが一段深い円形凹段部が形成されていることを特徴とする請求項１に記載の洋風便器装置。
【請求項３】
前記突起が前記ガイド溝の上端に位置した状態で前記カバーを開方向に回動させると、前記ケーシング本体の背面によって前記カバーの後端部の裏面が当接支持されて、前記カバーが垂直に起立することを特徴とする請求項１または２に記載の洋風便器装置。
【請求項４】
前記ケーシング本体の背面側の上端付近は前方に傾斜しており、垂直に起立した前記カバーが前記ケーシング本体の背面よりも前方に位置することを特徴とする請求項３に記載の洋風便器装置。
【請求項５】
前記ケーシング本体には、光学式人体検知センサーが収納されており、前記カバーには透過部が形成されており、前記カバーが閉鎖状態において、前記光学式人体検知センサーからの光が前記透過部を介して透過することを特徴とする請求項１から４のいずれか一項に記載の洋風便器装置。
【請求項６】
前記ケーシング本体の前記凹部には、対向する前記内側面の間に、前後方向と平行な板状の第１のリブが配設されており、
前記カバーの前記係合部は、前後方向と平行な２枚の側片が互いに対向して形成されており、この２枚の側片のうちの一方には、その側面に前記突起が形成されており、かつ、前記側片の間に前後方向と平行な板状の第２のリブが配設されており、
前記突起を支軸とした前記係合部の回転によって前記カバーが回動する際に、前記第２のリブは、その側面が前記第１のリブの側面と近接対峙した状態で摺動することを特徴とする請求項１から５のいずれか一項に記載の洋風便器装置。
【請求項７】
前記ガイド溝における前記突起の位置が、前記カバーが閉鎖状態の際の位置より上方に位置している場合に、前記ケーシング本体の上面部と前記カバーの裏面との間に隙間が生じ、少なくとも前記ケーシング本体の上面前端部付近が露出することを特徴とする請求項１から６のいずれか一項に記載の洋風便器装置。
【請求項８】
前記ケーシング本体の前記凹部の一方の前記内側面は、前記ケーシング本体とは別体であり、かつ前記ガイド溝を備えたガイド部材によって形成されており、このガイド部材は、下端付近が前記ケーシング本体の前記凹部内に固定されて上端側が自由になっており、この上端側が前記ケーシング本体の左右方向の内側および外側に向かって傾斜するものであることを特徴とする請求項１から７のいずれか一項に記載の洋風便器装置。
【請求項９】
便器本体の後部上面に固定されたケーシングを備えた洋風便器装置であって、
前記ケーシングは、ケーシング本体と、このケーシング本体の上面部を覆うカバーとを有し、
前記ケーシング本体の上部後端には、前後方向に切欠かれた凹部が形成されており、さらに、この凹部において対向する内側面の一方には、内方に向かって突出する円柱形の突起が形成されており、
前記カバーは、後端付近に、裏面側へ向かって突出する係合部を有し、この係合部には、後方斜め上方向に延びるガイド溝が形成されており、かつ、前記係合部は、前記凹部の前記突起が前記ガイド溝内にスライド自在に挿入された状態で前記凹部に収納されており、
前記ガイド溝における前記突起の位置が、前記カバーが閉鎖状態の際の位置より下方に位置している場合に、前記突起を支軸とした前記係合部の回転によって前記カバーが回動自在とされていることを特徴とする洋風便器装置。
【発明の詳細な説明】
【技術分野】
【０００１】
本発明は、洋風便器装置に関する。
【背景技術】
【０００２】
特許文献１には、洋風便器本体の後部上面に固定され、機能装置を収納するケーシングと、ケーシングに対して回動可能に設けられた便座とを備えた便座装置が記載されている。そして、この便座装置のケーシングは、ケーシング本体とカバーとからなり、カバーは、ケーシング本体の上面とヒンジなどで結合され、回動させてケーシング本体の上面を覆うものなどを採用できることが記載されている。
【先行技術文献】
【特許文献】
【０００３】
【特許文献１】特開2008-297785号公報
【発明の概要】
【発明が解決しようとする課題】
【０００４】
しかしながら、特許文献１には、ケーシング本体を覆うカバーを回動させるための構造についての具体的な記載はない。ケーシング本体を覆うカバーは、簡便な構造によって容易に開閉操作できることが望まれている。
【０００５】
本発明は、以上のとおりの事情に鑑みてなされたものであり、簡便な構造で、ケーシング本体の上面を覆うカバーの開閉操作を容易に行うことができる洋風便器装置を提供することを課題としている。
【課題を解決するための手段】
【０００６】
上記の課題を解決するために、本発明の洋風便器装置は、便器本体の後部上面に固定されたケーシングを備えた洋風便器装置であって、前記ケーシングは、ケーシング本体と、このケーシング本体の上面部を覆うカバーとを有し、前記ケーシング本体の上部後端には、前後方向に切欠かれた凹部が形成されており、さらに、この凹部において対向する内側面の一方には、後方斜め上方向に延びるガイド溝が形成されており、前記カバーは、後端付近に、裏面側へ向かって突出する係合部を有し、この係合部には、側方に向かって突出する円柱形の突起が形成されており、かつ、前記係合部は、前記突起が前記ガイド溝内にスライド自在に挿入された状態で前記凹部に収納されており、前記ガイド溝における前記突起の位置が、前記カバーが閉鎖状態の際の位置より上方に位置している場合に、前記突起を支軸とした前記係合部の回転によって前記カバーが回動自在とされている。
【０００７】
この洋風便器装置では、前記ガイド溝の上端および下端には、溝深さが一段深い円形凹段部が形成されていることが好ましい。
【０００８】
この洋風便器装置では、前記突起が前記ガイド溝の上端に位置した状態で前記カバーを開方向に回動させると、前記ケーシング本体の背面によって前記カバーの後端部の裏面が当接支持されて、前記カバーが垂直に起立することがより好ましい。
【０００９】
この洋風便器装置では、前記ケーシング本体の背面側の上端付近は前方に傾斜しており、垂直に起立した前記カバーが前記ケーシング本体の背面よりも前方に位置することがさらに好ましい。
【００１０】
この洋風便器装置では、前記ケーシング本体には、光学式人体検知センサーが収納されており、前記カバーには透過部が形成されており、前記カバーが閉鎖状態において、前記光学式人体検知センサーからの光が前記透過部を介して透過することが一層好ましい。
【００１１】
この洋風便器装置では、前記ケーシング本体の前記凹部には、対向する前記内側面の間に、前後方向と平行な板状の第１のリブが配設されており、前記カバーの前記係合部は、前後方向と平行な２枚の側片が互いに対向して形成されており、この２枚の側片のうちの一方には、その側面に前記突起が形成されており、かつ、前記側片の間に前後方向と平行な板状の第２のリブが配設されており、前記突起を支軸とした前記係合部の回転によって前記カバーが回動する際に、前記第２のリブは、その側面が前記第１のリブの側面と近接対峙した状態で摺動することがより一層好ましい。
【００１２】
この洋風便器装置では、前記ガイド溝における前記突起の位置が、前記カバーが閉鎖状態の際の位置より上方に位置している場合に、前記ケーシング本体の上面部と前記カバーの裏面との間に隙間が生じ、少なくとも前記ケーシング本体の上面前端部付近が露出することがより一層好ましい。
【００１３】
この洋風便器装置では、前記ケーシング本体の前記凹部の一方の前記内側面は、前記ケーシング本体とは別体であり、かつ前記ガイド溝を備えたガイド部材によって形成されており、このガイド部材は、下端付近が前記ケーシング本体の前記凹部内に固定されて上端側が自由になっており、この上端側が前記ケーシング本体の左右方向の内側および外側に向かって傾斜するものであることがさらに一層好ましい。
【００１４】
本発明の洋風便器装置は、便器本体の後部上面に固定されたケーシングを備えた洋風便器装置であって、前記ケーシングは、ケーシング本体と、このケーシング本体の上面部を覆うカバーとを有し、前記ケーシング本体の上部後端には、前後方向に切欠かれた凹部が形成されており、さらに、この凹部において対向する内側面の一方には、内方に向かって突出する円柱形の突起が形成されており、前記カバーは、後端付近に、裏面側へ向かって突出する係合部を有し、この係合部には、後方斜め上方向に延びるガイド溝が形成されており、かつ、前記係合部は、前記凹部の前記突起が前記ガイド溝内にスライド自在に挿入された状態で前記凹部に収納されており、前記ガイド溝における前記突起の位置が、前記カバーが閉鎖状態の際の位置より下方に位置している場合に、前記突起を支軸とした前記係合部の回転によって前記カバーが回動自在とされていることを特徴としている。
【発明の効果】
【００１５】
本発明の洋風便器装置は、簡便な構造で、ケーシング本体の上面を覆うカバーの開閉操作を容易に行うことができる。
【図面の簡単な説明】
【００１６】
【図１】本発明の洋風便器装置の第１実施形態を例示した斜視図である。
【図２】本発明の洋風便器装置の第１実施形態におけるケーシングの形態を例示した斜視図である。
【図３】本発明の洋風便器装置の第１実施形態におけるケーシング本体の形態を例示した斜視図である。
【図４】図３のＹ部に例示した凹部の形態を例示した拡大斜視概要図である。
【図５】（Ａ）は、本発明の洋風便器装置の第１実施形態におけるケーシングのカバーの形態を例示した表面側からの斜視図である。（Ｂ）は、本発明の洋風便器装置の第１実施形態におけるケーシングのカバーの形態を例示した裏面側からの斜視図である。
【図６】本発明の洋風便器装置の第１実施形態におけるケーシングのカバーに形成された係合部の形態を例示した概要斜視図である。
【図７】本発明の洋風便器装置の第１実施形態におけるカバーの係合部の動きとカバーの開閉状態との関係を例示した概要断面図および凹部付近の拡大縦断面図である。
【図８】本発明の洋風便器装置の第１実施形態におけるカバーの係合部の動きとカバーの開閉状態との関係を例示した概要断面図および凹部付近の拡大縦断面図である。
【図９】本発明の洋風便器装置の第１実施形態におけるカバーの係合部の動きとカバーの開閉状態との関係を例示した概要断面図および凹部付近の拡大縦断面図である。
【図１０】本発明の洋風便器装置のケーシングの第２実施形態を例示した部分斜視図である。
【図１１】図１０の洋風便器装置のケーシング（カバーを外した状態）の上部後端に形成された凹部付近を例示した拡大斜視図である。
【図１２】図１１とは別の角度からの凹部付近を示した拡大斜視図である。
【図１３】図１２におけるＡ-Ａ’面の断面図である。
【図１４】本発明の洋風便器装置の第２実施形態におけるケーシングのカバーを例示した裏面側からの斜視図である。
【図１５】図１４に例示したケーシングのカバーの係合部付近の拡大斜視図である。
【図１６】図１０のＡ−Ａ’面の断面図である。
【図１７】本発明の洋風便器装置の第２実施形態において、カバーを開状態とした際の拡大斜視図である。
【図１８】本発明の洋風便器装置の第３実施形態におけるケーシングのカバーを例示した裏面側からの斜視図である。
【図１９】本発明の洋風便器装置の第３実施形態におけるケーシング（カバーを外した状態）の上部後端に形成された凹部付近を例示した拡大斜視図である。
【発明を実施するための形態】
【００１７】
図１は、本発明の洋風便器装置の第１実施形態を例示した斜視図である。図２は、本発明の洋風便器装置の第１実施形態におけるケーシングの形態を例示した斜視図である。
【００１８】
洋風便器装置１は、便器本体２と、便器本体２に載置される便座（図示していない）、便蓋３およびケーシング４を備えている。
【００１９】
ケーシング４は、便器本体２の後部上面に固定されており、内部に機能装置５が収納されている。なお、本発明における「前後方向」は、利用者が便座に着座した状態から視る方向によって定義される。すなわち、洋風便器装置１を床に設置した状態の平面視を基準として、便座に着座した利用者から視て前側を前方、後側を後方とし、この前後方向に交差する左右方向を側方とする。
【００２０】
ケーシング４は、便器本体２の後部上面２１に固定されたケーシング本体４１と、ケーシング本体４１を覆うカバー４２とを有している。
【００２１】
図２に例示したように、ケーシング本体４１は、上方が開口した開口部４１aを備え、この開口部４１aの内側に機能装置５が収納されている。また、ケーシング本体４１の背面側上部は前方にやや屈曲して傾斜している。そして、カバー４２は、このケーシング本体４１の上面部と、内部に収納された機能装置５とを覆うことができる。
【００２２】
機能装置５は、洋風便器装置１に各種機能を付加するものである。具体的には、例えば、便座・便蓋開閉装置、人体検知装置（光学式人体検知センサーなど）、便器洗浄装置、局部洗浄装置、温風乾燥装置、脱臭装置、部屋暖房装置、空気清浄装置、音楽再生装置、照明装置などを例示することができる。
【００２３】
そして、例えば、ケーシング本体４１に機能装置５としての光学式人体検知センサー５１を収納することができる。この場合、カバー４２に透光部４２aを形成し、カバー４２が閉鎖状態において、光学式人体検知センサー５１からの光が透光部４２aを介して透過するように設計することが好ましい。これによって、カバー４２が閉鎖状態であっても使用者の存在を確実に検知することができるため、例えば、この検知信号に基づいて便蓋開閉装置による便蓋３の開閉などを自動制御することができる。
【００２４】
図３は、本発明の洋風便器装置の第１実施形態におけるケーシング本体の形態を例示した斜視図である。図４は、図３のＹ部に例示した凹部の形態を例示した拡大斜視概要図である。
【００２５】
ケーシング本体４１の上部後端には、前後方向に切欠かれた凹部６が２か所に形成されている。凹部６は、略直方体状に切欠かれて形成され、上方と後方が開放されており、左右の内側面６１（６１Ａ、６１Ｂ）は互いに対向している。そして、この対向する内側面６１Ａ、６１Ｂのうちの一方には、後方斜め上方向に延びるガイド溝７が形成されている。図３、図４に例示した形態では、ガイド溝７は、対向する内側面６１Ａ、６１Ｂのうち、ケーシング本体４１の左右方向の外側に位置する内側面６１Ａに形成されている。
【００２６】
ガイド溝７は、例えば、１．０ｍｍ〜５．０ｍｍ程度の深さで後方斜め上方向に延びて形成することができる。さらに、ガイド溝７の上端７aと下端７bには、溝深さが一段深い円形凹段部Ｓが形成されている。円形凹段部Ｓは、例えば、上端７aと下端７bを除くガイド溝７の溝深さより０．５ｍｍ〜３．０ｍｍ程度深い深さで形成することができる。
【００２７】
図５（Ａ）は、本発明の洋風便器装置の第１実施形態におけるケーシングのカバーの形態を例示した表面側からの斜視図である。図５（Ｂ）は、本発明の洋風便器装置の第１実施形態におけるケーシングのカバーの形態を例示した裏面側からの斜視図である。図６は、本発明の洋風便器装置の第１実施形態におけるケーシングのカバーに形成された係合部の形態を例示した概要斜視図である。
【００２８】
カバー４２の形状は、図３に例示したケーシング本体４１の上面部と対応しており、前方側がやや下方に屈曲した略板状に形成されている。また、カバー４２の前方付近には小円形状の透光部４２aが形成されている。また、カバー４２は、後端付近に、裏面側へ向かって突出する係合部８を有している。係合部８は、前後方向と略平行な板状の２枚の側片８１が互いに対向しており、この側片８１同士の後端が後片８２によって接続されている。さらに、この２つの係合部８の各々には、側片８１の外側面に、側方（左右方向の外側方向）に向かって突出する突起９が形成されている。
【００２９】
突起９は略円柱形であり、ガイド溝７の上端７aおよび下端７bに形成されている円形凹段部Ｓの形状、大きさと対応しており、突起９の直径は、ガイド溝７の溝幅と対応している。また、突起９の高さは、ガイド溝７の溝深さを考慮して設計することができる。さらに、突起９の位置は、ガイド溝７との位置関係にもよるが、例えば、側片８１の前下方付近に形成することができる。
【００３０】
そして、この洋風便器装置１では、図２に例示したように、カバー４２の係合部８は、ケーシング本体４１の凹部６に収納されており、このとき、カバー４２の係合部８の突起９は、凹部６のガイド溝７内にスライド自在に挿入されている。
【００３１】
次に、ケーシングのカバーの開閉操作について、図７〜図９を用いて説明する。
【００３２】
図７〜図９は、本発明の洋風便器装置の第１実施形態におけるカバーの係合部の動きとカバーの開閉状態との関係を例示した概要断面図および凹部付近の拡大縦断面図である。
【００３３】
図７に例示したように、カバー４２が閉鎖状態の場合、カバー４２は、ケーシング本体４１の上面に当接し、ケーシング本体４１の上面部および機能装置５を覆っている。カバー４２の係合部８は、ケーシング本体４１の凹部６に収納されており、係合部８の突起９は、ガイド溝７の下端７bに位置している。ガイド溝７の下端７bには、溝深さが一段深い円形凹段部Ｓが形成されているため、係合部８の突起９が円形凹段部Ｓに嵌まり込み、安定に保持されている。係合部８の突起９がガイド溝７の下端７bに位置している場合、突起９を支軸とした係合部８の回転は、凹部６を形成する前壁部６２によって制限されている。このため、カバー４２の回動が制限され、カバー４２が開放されないように設計されている。
【００３４】
カバー４２を開放する場合、例えば、人が手指でカバー４２を後方に向かって押すことで、図８に例示したように、突起９がガイド溝７に沿って後方斜め上方向にスライドし、これに伴って、カバー４２全体が後方斜め上方向に移動する。ガイド溝７の上端７aには、溝深さが一段深い円形凹段部Ｓが形成されているため、係合部８の突起９が円形凹段部Ｓに嵌まり込み、安定に保持される。そして、このとき、ケーシング本体４１の上面部とカバー４２の裏面との間には隙間Ｇが生じ、カバー４２が閉鎖状態であっても、ケーシング本体４１の上面前端部Ｆ付近が露出した状態となる。
【００３５】
そして、突起９がガイド溝７の上端７aに達した位置において、突起９を支軸とした回動によってカバー４２の開放が可能とされている。具体的には、図８に例示した状態では、ケーシング本体４１の上面とカバー４２の裏面との間には隙間Ｇが生じ、ケーシング本体４１の上面前端部Ｆ付近が露出した状態となっているため、カバー４２の前端部Ｑ付近を手指で保持しやすく、カバー４２の開放操作を容易に行うことができる。
【００３６】
例えば、カバー４２の前端部Ｑ付近を手指で保持してカバー４２を上方に開放しようとすると、図９に例示したように、係合部８の突起９がガイド溝７の上端７aに位置する場合に、この突起９を支軸として係合部８が水平状態から略９０°回転する。この係合部８の回転と同時に、カバー４２が後方に回動し、ケーシング本体４１の上方が開放される。なお、係合部８がガイド溝７に沿って後方斜め上方向にスライドしているため、係合部８の回転は、凹部６を形成する前壁部６２によって制限されることはない。
【００３７】
そして、カバー４２が後方に回動してケーシング本体４１の上方が開放されるとき、ケーシング本体４１の背面の上端部４１b付近に、回動したカバー４２の後端部４２bの裏面が当接支持されて、カバー４２を垂直に起立可能とされていることが好ましい。回動したカバー４２の後端部４２bの裏面が当接支持されていることで、カバー４２の起立状態をより安定させることができる。したがって、ケーシング本体４１の背面の上端部４１b付近に回動したカバー４２の後端部４２bの裏面が当接支持されるように、例えば、ガイド溝７の位置や長さ、係合部８の側片８１の形状などを設計することが好ましい。また、ケーシング本体４１の背面Ｐ側の上端付近が前方に傾斜しており、垂直に起立したカバー４２がケーシング本体４１の背面Ｐよりも前方に位置することが好ましい。これによって、カバー４２を開放した状態においても、カバー４２が後方に突出しないため、洋風便器装置１の設置環境に関わらず、容易にカバー４２を開放することができる。なお、ここで、起立したカバーについての「垂直」とは、厳密に９０°を意味するものではなく、±１０°程度の誤差は許容され得る。
【００３８】
また、開放されたカバー４２を閉鎖する場合には、図７〜図９に例示した手順と逆の手順を踏むことができる。
【００３９】
すなわち、カバー４２が開放されている場合、突起９がガイド溝７の上端７aに位置しており（図９に例示した状態）、突起９を支軸としてカバー４２を前方へ回動させることで、カバー４２を略水平に倒すことができる（図８に例示した状態）。この状態では、ケーシング本体４１の上面前端部Ｆ付近が露出している。そして、例えば、略水平に倒したカバー４２をやや手前に引くように力を加えることで、突起９がガイド溝７に沿って前方斜め下方向にスライドしてガイド溝７の下端７bに移動する。このため、カバー４２全体も前方斜め下方向に移動し、ケーシング本体４１の上面部が覆われて、カバー４２が閉鎖する（図７に例示した状態）。
【００４０】
図１〜図９を用いて説明したように、本発明の洋風便器装置１は、便器本体２の後部上面２１に固定されたケーシング４を備えている。ケーシング４は、ケーシング本体４１と、このケーシング本体４１の上面部とを覆うカバー４２とを有している。そして、前記ケーシング本体４１の上部後端には、前後方向に切欠かれた凹部６が形成されており、さらに、この凹部６において対向する内側面の一方には、後方斜め上方向に延びるガイド溝７が形成されている。また、カバー４２は、後端付近に、裏面側へ向かって突出する係合部８を有し、この係合部８には、側方に向かって突出する円柱形の突起９が形成されており、かつ、係合部８は、突起９がガイド溝７内にスライド自在に挿入された状態で凹部６に収納されている。ガイド溝７における突起９の位置が、カバー４２が閉鎖状態の際の位置より上方に位置している場合（上端７aに位置している場合）に、突起９を支軸とした係合部８の回転によってカバー４２が回動自在とされている。
【００４１】
したがって、本発明の洋風便器装置１は、簡便な構造で、ケーシング本体４１の上面部を覆うカバー４２の開閉操作を容易に行うことができる。
【００４２】
さらに、本発明の洋風便器装置の第２実施形態について説明する。なお、第１実施形態と共通する部分には同一の符号を付し、以下では説明を一部省略する。
【００４３】
図１０は、本発明の洋風便器装置のケーシングの第２実施形態を例示した部分斜視図である。
【００４４】
洋風便器装置１のケーシング４のケーシング本体４１の内部には、各種の機能装置５が収納されている。さらに、ケーシング本体４１の前方中央付近にはラッチ固定突起４１cが配設されている。
【００４５】
そして、ケーシング本体４１の上部後端には、前後方向に切欠かれた凹部６が２か所に形成されており、カバー４２の係合部８は、ケーシング本体４１の凹部６に収納されている。また、カバー４２の裏面には、前方中央付近にはラッチ４２cが配設されている。ラッチ４２cの配設位置は、ケーシング本体４１に配設されたラッチ固定突起４１cの位置と対応しており、カバー４２が閉状態においては、ラッチ４２cがラッチ固定突起４１cに掛け留めされる。ラッチ４２cとラッチ固定突起４１cの具体的な構造は特に限定されないが、例えば、閉状態のカバー４２をケーシング本体４１に向かって下方に押し込むことでラッチ４２cの固定が解除されてカバー４２が開く構造のものなどを例示することができる。
【００４６】
また、カバー４２の先端部の中央付近には、内側に窪んだ指掛け部４２dが設けられており、ラッチ４２cの固定が解除されることでカバー４２の前方側が浮き上がって指掛け部４２dが露出するように設計されている。露出した指掛け部４２dに手指を掛けて操作することでカバー４２の開閉を容易に行うことができる。
【００４７】
図１１は、図１０の洋風便器装置のケーシング（カバーを外した状態）の上部後端に形成された凹部付近を例示した拡大斜視図である。図１２は、図１１とは別の角度からの凹部付近を示した拡大斜視図である。図１３は、図１２におけるＡ-Ａ’面の断面図である。
【００４８】
ケーシング本体４１の上部後端には、凹部６が２か所に形成されている。凹部６は、略直方体状に切欠かれて形成され、上方と後方が開放されており、左右の内側面６１（６１Ａ、６１Ｂ）は互いに対向している。また、凹部６の後方側の底面には、下方に向かって円弧状に湾曲する湾曲面Ｄが形成されている。
【００４９】
そして、対向する内側面６１Ａ、６１Ｂのうち、ケーシング本体４１の左右方向の外側に位置する内側面６１Ａには、後方斜め上方向に延びるガイド溝７が形成されている。また、ガイド溝７の上端７aには、溝深さが一段深い円形凹段部Ｓが形成されている。
【００５０】
ガイド溝７が形成された内側面６１Ａは、ケーシング本体４１とは別体であり、かつガイド溝を備えたガイド部材によって形成することができる。具体的には、図１２に例示したように、凹部６の側面から外方（洋風便器装置の左右の外側方向）に向かって一段凹んで形成された凹段部６aに、ガイド溝７が形成されたガイド部材６１１を嵌合させることで、ガイド溝７を有する内側面６１Ａが形成される。このガイド部材６１１は、下端６１１Ａ付近が凹部６内に固定されて上端６１１Ｂ側が自由になっている。具体的には、ガイド部材６１１は、下端６１１Ａ付近から内方に向かって突出する固定片６１１aを備えており、この固定片６１１aに固定具Ｔが挿通されることで凹部６内で固定されている。すなわち、固定片６１１aは、下端６１１Ａ側が固定され、上端６１１Ｂ側が自由になっている片持ち形式で固定されている。また、ガイド部材６１１は、ケーシング本体の左右方向においてガイド部材６１１と隣接するケーシング本体４１の起立面Ｗと離間しており、隙間Ｖが形成されている。したがって、ガイド部材６１１は、上端６１１Ａ側がケーシング本体４１の左右方向の内側（図１３中の矢印Ｘ１）および外側（図１３中の矢印Ｘ２）に向かって傾斜する動作が可能である。さらに、ガイド溝７の円形凹段部Ｓと上下方向に隣接するガイド部材６１１の上端６１１Ｂには、凹部６の内方に向かって滑らかに傾斜するテーパー部Ｃが設けられている。
【００５１】
さらに、凹部６内の前方側には、対向する内側面６１Ａ、６１Ｂの間の中央付近に、前後方向と平行な板状の第１のリブＲ１が立設されている。第１のリブＲ１は、凹部６の底面から上端部付近まで延びている。
【００５２】
図１４は、本発明の洋風便器装置の第２実施形態におけるケーシングのカバーを例示した裏面側からの斜視図である。図１５は、図１４に例示したケーシングのカバーの係合部付近の拡大斜視図である。
【００５３】
カバー４２は、後端付近に、裏面側へ向かって突出する係合部８を有している。係合部８は、前後方向と略平行な板状の２枚の側片８１が互いに対向しており、この側片８１同士の後端が後片８２によって接続されている。そして、２つの係合部８の各々には突起９が形成されている。具体的には、係合部８の２枚の側片８１のうちの一方に、その外側面に側方（左右方向の外側）に向かって突出する突起９が形成されている。また、係合部８の側片８１には、下端から上方向に延びるスリットＭが形成されている。スリットＭが設けられていることで側片８１が撓みやすくなるため、カバー４２をケーシング本体４１に取り付ける際に、突起９をガイド溝７に嵌め込み易くなる。
【００５４】
さらに、係合部８には、２枚の側片８１の間の中央付近に板状の第２のリブＲ２が前後方向と平行に配設されている。第２のリブＲ２は、係合部８の後片８２と接続している。
【００５５】
また、２枚の側片８１と第２のリブＲ２は、カバー４２の裏面から離れる方向へ向かって次第に厚さが薄くなるように形成されている。
【００５６】
図１６は、図１０のＡ−Ａ’面の断面図である。
【００５７】
そして、図１０、図１６に例示したように、カバー４２の係合部８が、ケーシング本体４１の凹部６に収納された状態においては、カバー４２の係合部８の突起９は、凹部６のガイド溝７内にスライド自在に挿入されている。また、凹部６に設けられた第１のリブＲ１と、係合部８に設けられた第２のリブＲ２が近接している。
【００５８】
さらに、図１３、図１６に例示したように、ガイド部材６１１の上端６１１Ｂにテーパー部Ｃが設けられているため、カバー４２の係合部８の突起９を凹部６のガイド溝７内に挿入する際は、係合部８の突起９を凹部６内に向かってスムーズに押し進めることができる。さらに、係合部８の突起９を凹部６のガイド溝７内に挿入する際には、ガイド部材６１１は、凹部６内に押し進められる係合部８の突起９によって、上端６１１Ｂ側が隙間Ｖ側（図１３の矢印Ｘ２方向）に向かって傾斜する。このため、係合部８の突起９は、容易にガイド部材６１１の上端６１１Ｂ付近を乗り越えてガイド溝７の円形凹段部Ｓに嵌まり込み、カバー４２とケーシング本体４１とを一体化することができる。
【００５９】
この実施形態においては、カバー４２が閉鎖状態の場合、係合部８の突起９は、ガイド溝７の下端７bに位置しており、カバー４２を開放する場合には、突起９をガイド溝７に沿って上端７a方向（後方斜め上方向）にスライドさせる。この際、突起９がガイド溝７の下端７b（カバー４２が閉鎖状態の際の位置）より上方（上端７a側）に位置する場合において、突起９を支軸とした回動によってカバー４２の開放が可能とされている。すなわち、ガイド溝７の中間部分（下端７bと上端７aの間）においてカバー４２を開方向に回動させながらカバー４２全体を後方斜め上方向に移動させることができ、最終的に係合部８の突起９はガイド溝７の上端７aの円形凹段部Ｓに配置される。
【００６０】
図１７は、本発明の洋風便器装置の第２実施形態において、カバーを開状態とした際の拡大斜視図である。
【００６１】
図１７に例示したように、カバー４２の回動の際には、係合部８の回転に伴って、第２のリブＲ２は、その側面が凹部６に設けられた第１のリブＲ１の側面と近接対峙した状態で摺動する。このため、カバー４２の回動時に係合部８が凹部６内で左右方向に位置ずれし難く、カバー４２のガタツキが抑制されてスムーズに回動させることができる。これによって、カバー４２の開閉操作をより安定かつ円滑に行うことができる。
【００６２】
また、図１１、図１２に例示したように、凹部６の後方側の底面には円弧状の湾曲面Ｄが形成されているため、カバー４２の回動時に、係合部８の後片８２の下端部が湾曲面Ｄ上を摺動する。このため、カバー４２の回動時におけるガタツキが抑制されてよりスムーズに回動させることができる。
【００６３】
さらに、例えば図１６に例示したように、カバー４２が開状態になるように回動させる際、ガイド部材６１１は、上端６１１Ｂ側がカバー４２の係合部８側（ケーシング本体４１の左右方向の内側）に向かって傾斜するようにわずかに動く。このため、係合部８の突起９がガイド溝７から抜け出してしまうことが抑制され、安定的にカバー４２を回動させることができる。
【００６４】
なお、図示していないが、洋風便器装置は、凹部の第１のリブおよび係合部の第２のリブを複数設けることもできる。具体的には、例えば、係合部に２つ配設された第２のリブが、凹部に配設された１つの第１のリブを挟み込むように近接対峙した状態で摺動するように設計することができる。また、逆に、係合部に１つ配設された第２のリブが、凹部に配設された２つの第１のリブに挟み込まれるように近接対峙した状態で摺動するように設計することができる。このように、凹部の第１のリブおよび係合部の第２のリブのうち、少なくとも一方を２つ以上設けることで、回動時のカバーのガタツキがより確実に抑制され、カバーの開閉操作をより安定かつ円滑に行うことができる。
【００６５】
さらに、本発明の洋風便器装置の第３実施形態について説明する。
【００６６】
図１８は、本発明の洋風便器装置の第３実施形態におけるケーシングのカバーを例示した裏面側からの斜視図である。図１９は、本発明の洋風便器装置の第３実施形態におけるケーシング（カバーを外した状態）の上部後端に形成された凹部付近を例示した拡大斜視図である。
図１８、図１９において、第２実施形態と共通する部分には同一の符号を付し、以下では説明を省略する。
【００６７】
この実施形態の洋風便器装置は、図１８に例示したように、カバー４２の係合部８の側面に、後方斜め上方向に延びるガイド溝８３が形成されており、図１９に例示したように、ケーシング本体４１の凹部６において対向する内側面６１Ａの適宜な位置に、内方に向かって突出する円柱形の突起６３が設けられている。
【００６８】
この実施形態では、凹部６の内側面の突起６３が係合部８のガイド溝８３の上端８３a（カバー４２が閉鎖状態の際の位置）より下方（下端側）に位置している場合に、図８、図９に例示した形態と同様に、突起６３を支軸とした係合部８の回転によってカバー４２が回動自在とされている。そして、凹部６の後方側の底部には円弧状の湾曲面Ｄが形成されているため、カバー４２の回動時（係合部８の回転時）に、係合部８の後片８２の下端部が湾曲面Ｄ上を摺動する。このため、カバー４２の回動時におけるガタツキが抑制されて安定的かつスムーズにカバー４２を回動させることができる。
【００６９】
この実施形態の洋風便器装置１は、ケーシング本体４１の上部後端には、前後方向に切欠かれた凹部６が形成されており、さらに、この凹部６において対向する内側面６１の一方には、内方に向かって突出する円柱形の突起６３が形成されている。そして、カバー４２は、後端付近に、裏面側へ向かって突出する係合部８を有し、この係合部８には、後方斜め上方向に延びるガイド溝８３が形成されている。また、係合部８は、凹部６の突起６３がガイド溝８３内にスライド自在に挿入された状態で凹部６に収納されている。そして、ガイド溝８３における突起６３の位置が、カバー４２が閉鎖状態の際の位置より下方に位置している場合に、突起６３を支軸とした係合部８の回転によってカバー４２が回動自在とされている。
【００７０】
本発明の洋風便器装置は、以上の形態に限定されることはない。例えば、突起の大きさ、突出長さおよびガイド溝の溝幅、溝深さは、ガイド溝内を突起が円滑にスライドするように適宜設計することができる。また、ガイド溝の位置や傾斜角度なども、カバーの開閉が容易になるように適宜設計することができる。例えば、第１、第２実施形態においては、ガイド溝を、凹部において対向する内側面のうち、洋風便器装置の中央側に位置する面に設け、係合部の突起もこれに対応させて洋風便器装置の中央側に設けることもできる。
【符号の説明】
【００７１】
１    洋風便器装置
２    便器本体
４    ケーシング
４１  ケーシング本体
４２  カバー
４２a 透光部
５１  光学式人体検知センサー
６    凹部
６３  突起
６１１  ガイド部材
６１１Ａ  下端
６１１Ｂ  上端
７    ガイド溝
８    係合部
８３  ガイド溝
９    突起
Ｆ    上面前端部
Ｇ    隙間
Ｓ    円形凹段部
Ｒ１  第１のリブ
Ｒ２  第２のリブ
【図１】
2015165082.tif 000003
【図２】
2015165082.tif 000004
【図３】
2015165082.tif 000005
【図４】
2015165082.tif 000006
【図５】
2015165082.tif 000007
【図６】
2015165082.tif 000008
【図７】
2015165082.tif 000009
【図８】
2015165082.tif 000010
【図９】
2015165082.tif 000011
【図１０】
2015165082.tif 000012
【図１１】
2015165082.tif 000013
【図１２】
2015165082.tif 000014
【図１３】
2015165082.tif 000015
【図１４】
2015165082.tif 000016
【図１５】
2015165082.tif 000017
【図１６】
2015165082.tif 000018
【図１７】
2015165082.tif 000019
【図１８】
2015165082.tif 000020
【図１９】
2015165082.tif 000021